(57)【特許請求の範囲】
【請求項１】
回収カセットと、現金取引装置とを備え、
前記回収カセットは、現金収納部と、
前記現金収納部内の現金の外部への取出しに用いる現金出口部と、
前記現金出口部から現金の取出しを阻止するもので、開状態で前記現金出口部を開けて現金の取出しが可能で、閉状態で前記現金出口部を覆って現金の取出しを不能とするシャッタドアと、
前記シャッタドアが閉状態で係止可能なロックレバーと、を有し、
前記現金取引装置は、前記回収カセットから現金を受け入れる現金出納口と、
前記現金出納口を開閉可能とするカバー蓋体と、
前記カバー蓋体に設けられ、前記現金出納口が開放される際に、ロックレバーに係止する係止鍵部と、を有し、
前記回収カセットは、前記現金出納口に装着されていない状態では、前記ロックレバーが前記シャッタドアを係止して前記現金出口部を開放不能とし、前記回収カセットが前記現金出納口に装着されて前記カバー蓋体の開動作が行われると、該開動作に伴い、前記係止鍵部が前記ロックレバーに係合して、前記シャッタドアを開放可能とすることを特徴とする現金回収システム。
【請求項２】
前記シャッタドアの一部には、前記現金収納部の外部から、操作可能なスライド操作ノブが設けられていて、前記スライド操作ノブは、前記係止鍵部がロックレバーに係合して、前記シャッタドアを開放可能としたときに操作可能であることを特徴とする請求項１に記載の現金回収システム。
【請求項３】
現金取扱機の現金が、前記回収カセットに回収されることを特徴とする請求項１または２に記載の現金回収システム。
【請求項４】
前記回収カセットは、前記現金取扱機の現金収納部を開閉する前扉と共用される前扉部をさらに含み、前記前扉部は、開放位置にて、前記現金出口部を前記現金出納口に装着されることにより、前記現金収納部が倒立状態で支持されることを特徴とする、請求項３に記載の現金回収システム。
【請求項５】
前記現金取扱機は、入出金された現金を鑑別する鑑別部と、該鑑別部で鑑別した現金を金種別に収納する現金格納部とを含み、前記現金格納部に前記回収カセットを取り外し可能に設けた自動釣銭機を有することを特徴とする請求項３または４に記載された現金回収システム。
【請求項６】
前記ロックレバーに係合凹部が形成されており、前記カバー蓋体が開放されたときに前記係止鍵部が前記係合凹部に係合することにより、前記回収カセットを前記現金出納口から取外不能とすることを特徴とする請求項１に記載の現金回収システム。
【発明の詳細な説明】
【技術分野】
【０００１】
本発明は、現金回収システムに関する。
【背景技術】
【０００２】
従来、レジなどの紙幣または硬貨（以下、現金と記す）の入出金を行う現金取扱機に着脱自在に設けられて、現金を回収する回収カセットが知られている（例えば、特許文献１、特許文献２等参照）。
このようなものでは、現金を搬送する現金カセットに設けられたデータ記録部のデータと、搬送された現金の精査を行う受け側の装置によって計測されたデータとが突き合わせられる。そして、現金カセットによって搬送された金額が正しいか否かが調べられるように構成されている。
【先行技術文献】
【特許文献】
【０００３】
【特許文献１】特開２０１２−８８１１号公報
【特許文献２】特開２０１５−２２５１９号公報
【発明の概要】
【発明が解決しようとする課題】
【０００４】
このような従来の回収カセットでは、現金に触れることが認められた者、たとえば、店舗の責任者や、現金の管理者など、一定の権限を有する者（以下、責任者と記す）が搬送して入出金処理を行っている。
しかしながら、スーパーマーケットやコンビニエンスストアなどでは、昨今の開店時間の長時間化や、２４時間営業などにより常に責任者がいるとは限らず、責任者以外の者が回収カセットの搬送を行えないのは、利便性が良好であるとは言い難かった。
本発明は、現金に直接触れる機会を無くすことにより、現金を搬送する際の取扱性を向上させることができる、回収カセットおよび回収カセットを用いた現金回収システムを提供することを目的とする。
【課題を解決するための手段】
【０００５】
本発明に係る現金回収システムは、回収カセットと、現金取引装置とを備え、回収カセットは、現金収納部と、現金収納部内の現金の外部への取出しに用いる現金出口部と、現金出口部から現金の取出しを阻止するもので、開状態で現金出口部を開けて現金の取出しが可能で、閉状態で現金出口部を覆って現金の取出しを不能とするシャッタドアと、シャッタドアが閉状態で係止可能なロックレバーと、を有し、現金取引装置は、回収カセットから現金を受け入れる現金出納口と、現金出納口を開閉可能とするカバー蓋体と、カバー蓋体に設けられ、現金出納口が開放される際に、ロックレバーに係止する係止鍵部と、を有し、回収カセットは、現金出納口に装着されていない状態では、ロックレバーがシャッタドアを係止して現金出口部を開放不能とし、回収カセットが現金出納口に装着されてカバー蓋体の開動作が行われると、該開動作に伴い、係止鍵部がロックレバーに係合して、シャッタドアを開放可能としている。
【０００６】
このような構成によれば、回収カセットは、現金収納部内に現金取扱機内の現金を収納した状態で、シャッタドアにより現金出口部が閉じられた状態のまま、ロックレバーがシャッタドアを係止して現金出口部を開放不能とし、現金取扱機から現金取引装置まで、移送することができる。
そして、回収カセットの現金出口部を、現金取引装置の現金出納口に装着すると、カバー蓋体の開動作が行われると、該開動作に伴い、係止鍵部がロックレバーに係合して、シャッタドアを開放可能とすることができる。このため、現金収納部内の現金に直接触れる機会が無くなり、現金取引装置の現金出納口から現金を投入することが出来る。
【発明の効果】
【０００７】
本発明によれば、現金に直接触れる機会を無くすことにより、責任者以外の者が回収カセットの搬送を行え、現金を搬送する際の取扱性を向上させることができる回収カセットが提供される。
【図面の簡単な説明】
【０００８】
【図１】実施形態の現金取扱機の全体の構成を説明する斜視図である。
【図２】実施形態の現金取扱機の構成を説明する模式的な側面図である。
【図３】実施形態の現金取扱機に用いる回収カセットの斜視図である。
【図４】実施形態の回収カセットで、前扉部を開放した様子を示す斜視図である。
【図５】実施形態の回収カセットで、シャッタドアを開放した様子を示す斜視図である。
【図６】実施形態の回収カセットで、図４中ＶＩ−ＶＩ線に沿った位置での断面図である。
【図７】実施形態の現金取引装置に、回収カセットを装着した様子を示す斜視図である。
【図８】実施形態の回収カセットで、図４中ＶＩＩＩ−ＶＩＩＩ線に沿った位置での断面図である。
【図９】実施形態の回収カセットで、図５中ＩＸ−ＩＸ線に沿った位置での断面図である。
【図１０】実施形態の現金取引装置に回収カセットを装着した様子を示し、図７中Ｘ−Ｘ線に沿った位置での断面図である。
【図１１】実施形態の現金取引装置に回収カセットを装着して、シャッタドアを開放した様子を示し、図７中Ｘ−Ｘ線に沿った位置に相当する位置での断面図である。
【発明を実施するための形態】
【０００９】
本発明の実施形態について、図１乃至図１１を参照して詳細に説明する。説明において、同一の要素には同一の番号を付し、重複する説明は省略する。
【００１０】
図１は、実施形態のレジ１の全体の構成を説明する斜視図である。
この実施形態のレジ１は、ＰＯＳ（POS system, point of sales system）レジスタと、現金取扱機としての自動釣銭機２とを備えて、筺体３に収納されている。
筺体３は、上側筺体３ａおよび箱状の下側筺体３ｂを有している。このうち、上側筺体３ａ内には、主にＰＯＳレジスタが収納されている。また、下側筺体３ｂ内には、自動釣銭機２が収容されている。
そして、この自動釣銭機２は、ＰＯＳレジスタと、相互に通信可能に接続されている。このため、レジ１によって紙幣１００および硬貨の入出金管理を行なうことができる。
【００１１】
また、自動釣銭機２は、硬貨の入出金を行うための硬貨入出金部２ａと、紙幣１００の入出金を行うための紙幣入出金部２ｂと、入出金された現金を鑑別する図示しない鑑別部とを有して主に構成されている。
硬貨入出金部２ａの硬貨入金口２ｃは、入金する硬貨が投入されるように構成されている。そして、この硬貨入金口２ｃから硬貨を投入するとその硬貨は硬貨入出金部２ａ内に引き込まれて金種別に振り分けられ、図示しない硬貨収納庫に収納されるように構成されている。
【００１２】
この自動釣銭機２は、硬貨出金口２ｄおよび硬貨リジェクト口２ｅを有している。硬貨出金口２ｄは、出金する硬貨を集積することができる。また、硬貨の釣銭が必要なときは、硬貨入出金部２ａ内に収納された硬貨をこの硬貨出金口２ｄから払い出すことができる。
さらに、硬貨リジェクト口２ｅは、硬貨入金口２ｃに投入された硬貨を硬貨入出金部２ａ内に引き込み鑑別した結果、１円、５円、１０円、５０円、１００円、５００円硬貨のいずれでもないと判断したリジェクト硬貨として返却する返却口である。
【００１３】
一方、紙幣入出金部２ｂの紙幣入出金口２ｆは、入金する紙幣を投入する紙幣入金口および出金する紙幣を蓄積する出金口である。この紙幣入出金口２ｆに投入された紙幣は自動釣銭機２内に引き込まれて金種別に振り分けられる。そして後述する現金収納部２１または現金格納部１２１内に収納される。
【００１４】
この実施形態のレジ１は、表示操作部２ｇを有している。表示操作部２ｇは、自動釣銭機２への現金補充に関する操作者への操作案内を表示する他、操作者による入力操作等を受け付ける。
【００１５】
また、レジ１は、商品に付されているバーコードから商品の金額を読取るバーコード読取部２ｊを備えている。加えてさらに、レジ１は、表示部２ｈとその画面に配された液晶ディスプレイ等のタッチパネルからなるレジスタ表示操作部２ｉを含む。
そして、表示部２ｈは、顧客が購入する商品の総額等やバーコードの付されていない商品の金額を入力するためのテンキー等の入力キーを表示し、その入力キーをタッチパネル上から押下することで入力キーに定義された情報を入力できるように構成されている。
【００１６】
さらに、レジ１は、レシート印字部２ｋを有している。レシート印字部２ｋは、顧客が購入した商品の総額や顧客から預かった現金金額、顧客に支払う釣銭等を印字したレシートを発行する機能を有している。
【００１７】
この実施形態の現金回収システムは、上述したレジ１と、ＡＴＭ１０（図７参照）と、レジ１からＡＴＭ１０までの間にて現金を移送する際に用いられる、図３に示すような回収カセット２０とを備えて主に構成されている。
すなわち、図１に示す実施形態のレジ１の前面下部４には、カセット収納開口５が形成されている。そして、このカセット収納開口５には、回収カセット２０が水平方向Ａに挿抜可能で、着脱自在となるように装着されている。
【００１８】
図２は、実施形態のレジ１のうち、自動釣銭機２の構成を説明する模式的な側面図である。
このうち、回収カセット２０は、現金格納部１２１内の紙幣格納庫１２２ａ、１２２ｂ、１２２ｃに収納した紙幣１００を回収する際、その紙幣１００を収納する。回収カセット２０は、自動釣銭機２の前面下部４に開口されているカセット収納開口５から一側面が外部に突設された状態で、取り外し可能となるように収納されている。
【００１９】
また、回収カセット２０は、図示しないロック機構によって装置内からの取り出しが制限されており、後述のドアシリンダ錠部２６に専用鍵が差し込まれて専用鍵（マスタキーまたはメンテナンスキー）が回動したときにロック機構によるロックが外れて取り出せるように構成されている。
さらにリジェクト収納部６は、入金処理時に欠損等によって釣銭に適さないと鑑別された紙幣や出金処理で斜行や重送等の異常搬送によって釣銭に適さないと鑑別された紙幣などのリジェクト紙幣を収納している。
【００２０】
自動釣銭機２の紙幣入出金口２ｆは、投入された紙幣１００を１枚ずつ分離して紙幣搬送路１２０に繰り出すための繰り出し手段２ｍを備えている。紙幣搬送路１２０は、対向配置されたローラあるいはベルト等により構成されている。そして、紙幣搬送路１２０は、紙幣入出金口２ｆから繰り出された紙幣１００を挟持して正逆方向に搬送する機能を有している。
【００２１】
紙幣搬送路１２０は、紙幣鑑別部１２１ａを経由して紙幣格納庫１２２ａ、１２２ｂ、１２２ｃ、回収カセット２０、リジェクト収納部６へ紙幣１００を搬送する。紙幣鑑別部１２１ａは、紙幣入出金口２ｆから搬送されてきた紙幣の金種や正損を鑑別する機能を有する。また、紙幣搬送路１２０は、紙幣１００の通過を検知するための図示しないセンサを複数配置している。さらに、紙幣搬送路１２０は、紙幣１００の搬送経路を切り替えるための搬送切替ブレード１２０ａ，１２０ｂ，１２０ｃ、１２０ｄを有している。
【００２２】
紙幣格納庫１２２ａ、１２２ｂ、１２２ｃは、図示しないステージを有し、そのステージ上に紙幣１００を落下させて集積する。例えば紙幣格納庫１２２ａは千円券を収納し、紙幣格納庫１２２ｂには５千円券、紙幣格納庫１２２ｃには２千円券と１万円券を混在させて収納するようにしてもよい。
【００２３】
また、紙幣格納庫１２２ａ、１２２ｂは顧客に釣銭として用いる紙幣を収納する釣銭用紙幣収納庫としても運用されているものとし、釣銭用として予め準備された釣銭準備金である紙幣１００が係員によって収納される。
さらに紙幣格納庫１２２ａ、１２２ｂ、１２２ｃは、最上位に積まれている紙幣を紙幣搬送路１２０に繰り出すための図示しない紙幣繰出機構が設けられている。
そして、紙幣搬送路１２０は、紙幣格納庫１２２ａ、１２２ｂ、１２２ｃに収納した紙幣１００を回収カセット２０、または紙幣入出金口２ｆへ搬送する。
【００２４】
図３は、実施形態のレジ１にて、現金のうち紙幣１００の回収に用いる回収カセット２０の斜視図である。
図４は、実施形態の回収カセットで、前扉部２４を開放した様子を示す斜視図である。
この実施形態の回収カセット２０は、図８，図９に示すような複数のローラ２８，２９を有する現金入口部１２と、レジ１の紙幣１００を収納する平箱状の現金収納部２１と、現金収納部２１の前面に開口形成される現金出口部２２とを有している。
【００２５】
回収カセット２０は、現金収納部２１内に位置してレジ１に装着されている状態では、自動釣銭機２から送られてくる紙幣１００を、現金入口部１２を介して取り込み、内部に集積するように構成されている。また、現金入口部１２のローラ２８，２９は、逆回転を防止することにより現金収納部２１内の紙幣１００が抜出不能とされている。
【００２６】
そして、この回収カセット２０の現金出口部２２は、内部に集積された紙幣１００を、ＡＴＭ１０の現金出納口１１から投入する際に、紙幣１００の取出しに用いる。
【００２７】
この実施形態の回収カセット２０は、現金出口部２２を開閉可能な前扉部２４およびシャッタドア２３を有している。
このうち、前扉部２４は、図１に示すようなレジ１に回収カセット２０が装着されている状態では、前記カセット収納開口５に位置して、レジ１の前扉と共用されるように構成されている。
【００２８】
また、この実施形態の前扉部２４は、図３に示すように現金出口部２２の下縁側に設けられた支持軸２５を回転中心として回動可能に軸支されている。さらに、この実施形態の前扉部２４は、図４に示すように開放された状態では、ほぼ約１８０度反転した位置にて停止するように構成されている。
【００２９】
さらに、この実施形態の前扉部２４には、ドアシリンダ錠部２６が設けられていて、前扉部２４を閉じた状態で、図示しないメンテナンスキーを用いた施錠により、前扉部２４をロック状態とすることができる。
そして、ドアシリンダ錠部２６がロック状態では、前扉部２４が開放不能となるとともに、回収カセット２０がカセット収納開口５から抜き出し不能となる。
【００３０】
また、ドアシリンダ錠部２６は、メンテナンスキーを用いた解錠により、前扉部２４のロック状態を解除することができる。ロック状態が解除されると、前扉部２４が開放可能となるとともに、回収カセット２０がカセット収納開口５から抜き出し可能となるように構成されている。
【００３１】
さらに、この実施形態の回収カセット２０には、現金出口部２２を開閉可能とするシャッタドア２３（図４参照）が設けられている。
図５は、実施形態の回収カセット２０で、前扉部２４と後述するシャッタドア２３とを開放した様子を示す斜視図である。シャッタドア２３は、蛇腹状を呈していて、前扉部２４よりも内側に設けられている。そして、図９中Ｂ方向へガイドレール３２に沿って、湾曲しながらスライド移動することにより、現金出口部２２を開閉可能とするように構成されている。
【００３２】
図６は、実施形態の回収カセット２０にて図４中ＶＩ−ＶＩ線に沿った位置での断面図である。また、図７は、実施形態のＡＴＭ１０に回収カセット２０を装着した様子を示す斜視図である。さらに、図８は、図４中ＶＩＩＩ−ＶＩＩＩ線に沿った位置での断面図である。そして、図９は、実施形態の回収カセットで、図５中ＩＸ−ＩＸ線に沿った位置での断面図である。
【００３３】
この回収カセット２０のシャッタドア２３は、可撓性を有する一枚のシート３０と、このシート３０に互いに平行に貼設された複数のスラット３１…と、これらのシート３０の両側でスライドガイドする湾曲形成されたガイドレール３２とを有して主に構成されている。
【００３４】
このうち、スラット３１は、長尺状の樹脂製板材の長手方向をシャッタドア２３の出し入れ方向と直交させて配列されている。
ガイドレール３２は、回収カセット２０の上面部と現金出口部２２との二側面に沿って形成されたほぼ直交する直線状部と、これらの直線状部間を接続する上隅コーナ部に形成される円弧状の湾曲部２７ａとを有している。
そして、シャッタドア２３は、ガイドレール３２のうち、湾曲部２７ａの円弧形状に沿ってスライド移動する際、スラット３１，３１間のシート３０部分を屈曲させながら、円滑に通過可能となるように構成されている。
【００３５】
このシャッタドア２３には、さらに、最も現金入口部１２に近い側のスラット３１ａに、現金収納部２１の外部から操作可能なスライド操作ノブ３３が設けられている。そして、このスライド操作ノブ３３を回収カセット２０の上面部の外側面に沿ってスライド移動（図４中Ｃ方向）させると、シャッタドア２３が現金出口部２２を開閉する。
【００３６】
シャッタドア２３は、図８に示すように、引出位置では、シャッタドア２３の前端縁が現金出口部２２の下縁部に近接する位置まで各スラット３１を降下させて、前記現金出口部２２が覆われる。つまり、シャッタドア２３の引出位置とは、現金出口部２２が閉じられることにより、回収カセット２０の内部に設けられた現金収納部２１内の紙幣１００を外部から取り出せないシャッタドア２３の状態になっている位置をいう。
【００３７】
また、シャッタドア２３は、図９に示すように、収納位置では、シャッタドア２３の後縁に位置するスラット３１ａが現金入口部１２方向に最もスライド移動した位置となり、各スラット３１は、前記現金収納部２１の内側壁２７に沿って格納される。これにより、現金出口部２２は、外部空間と連通して開放される。つまり、シャッタドア２３の収納位置とは、現金出口部２２が開放されることにより、回収カセット２０の内部に設けられた現金収納部２１内の紙幣１００を外部から取り出せるシャッタドア２３の状態になっている位置をいう。
【００３８】
さらに、この実施形態の回収カセット２０は、図４に示すような連動ロック部３５を含んで構成されている。この連動ロック部３５は、図６および図８，図９に示すように、現金収納部２１の左右側壁２１ａ，２１ｂから内側に向けてそれぞれ突設される回動軸部３６ａ，３７ａと、左のかぎ型および右のかぎ型を異ならせるロックレバー３６，３７とを有している。
【００３９】
このうち、ロックレバー３６，３７には、前端縁近傍に係合凹部３６ｂ，３７ｂがそれぞれ形成されている。
また、図１０，図１１に示すように、前記ＡＴＭ１０には、カバー蓋体１３が設けられている。カバー蓋体１３は、現金出納口１１をスライドにより開閉自在とするように構成されている。このカバー蓋体１３には、係止鍵部１４が一体に突設されて形成されている。
そして、係止鍵部１４の形状は、係合凹部３６ｂ，３７ｂの形状と適合することにより、ロックレバー３６，３７をそれぞれ所望の回動角度まで回動させることが出来るように構成されている。
【００４０】
このロックレバー３６，３７には、係合凹部３６ｂ，３７ｂが形成されている前端縁とは、反対側に位置する後端縁近傍に、ロック爪部３６ｃ，３７ｃがそれぞれ設けられている。ロック爪部３６ｃ，３７ｃは、シャッタドア２３が現金出口部２２を閉じている状態で、それぞれのロックレバー３６，３７の回動角度に応じて、シャッタドア２３の最も現金入口部１２に近い側のスラット３１ａに係止または係止を解除することができる。
これにより、シャッタドア２３を開放不能または開放可能とすることができるように構成されている。
【００４１】
また、このロックレバー３６，３７は、現金収納部２１の左右側壁２１ａ，２１ｂの内側に設けられているため、外部から視認しにくく、回動角度を特定することが困難であるとともに、紙幣１００を移送する者によって操作することが困難な位置に設けられている。そして、係合凹部３６ｂ，３７ｂの形状を識別できないようにするとともに、外部から回動操作が不能となるように、さらにカバー部材などを設けるようにしてもよい。
【００４２】
そして、これらのロックレバー３６，３７は、図２に示すマスタ錠部２６ａに機械的に連動させることができる。この場合、責任者が所持する図示しないマスタキーによって図２に示すマスタ錠部２６ａを解錠可能としてもよい。この場合、責任者以外の従業員など、マスタキーを所持しないものは、回収カセット２０内の紙幣１００に触れることができないように構成されている。
【００４３】
次に、この実施形態の回収カセット２０および回収カセット２０を用いた紙幣回収システムの作用効果について説明する。
まず、レジ１にて集積された紙幣１００を回収カセット２０ごと取り出すために、従業員は、所持可能な図示しないメンテナンスキーを用いてドアシリンダ錠部２６を解錠する。そして、図１に示すように、回収カセット２０を水平方向Ａに沿ってスライドさせて引き出す。
【００４４】
レジ１から引き出された回収カセット２０は、図４に示すように前扉部２４を開放しているが、シャッタドア２３は閉じられているため、従業員は、内部に回収された紙幣１００に触ることはできない。
なお、マスタキーを所持する責任者は、マスタ錠部２６ａを用いることにより、ロックレバー３６，３７によるロックを解放して、図９に示すように、回収カセット２０から紙幣１００を取り出すことができる。
【００４５】
レジ１から、シャッタドア２３により現金出口部２２が閉じられた状態のまま、店内に設置されているＡＴＭ１０まで移送された回収カセット２０は、図７に示すように前扉部２４を約１８０度開いて、倒立させられる。
【００４６】
図７は、実施形態の現金取引装置としてのＡＴＭ（現金自動預払機）１０の一部を示す斜視図である。ＡＴＭ１０は、レジ１が設けられているスーパーマーケットやコンビニエンスストアなどの店内に設置されて、レジ１にて回収された紙幣１００を入金する。
ＡＴＭ１０は、図１０、図１１に示すような現金出納口１１を開閉自在とするカバー蓋体１３を有している。このカバー蓋体１３には、連動ロック部３５と連動して解錠する鍵部としての係止鍵部１４が設けられている。
【００４７】
そして、図７に示すようにＡＴＭ１０の現金出納口１１に、回収カセット２０が倒立状態で装着される。
回収カセット２０は、倒立させられても、図４に示すようにシャッタドア２３が閉じられたままであるため、現金収納部２１内の紙幣１００が飛散するおそれがない。
【００４８】
図１０、図１１は、実施形態のＡＴＭ１０の現金出納口１１に回収カセット２０が装着された様子を示している。
ＡＴＭ１０に紙幣１００を投入するため、従業員は、前扉部２４を約１８０度開いた回収カセット２０を倒立させて、現金出納口１１に内嵌させる（図７参照）。この状態では、図１０に示すように前扉部２４によって所定角度αだけ傾いていても、開放位置の前扉部２４によって支持されて、回収カセット２０が自重では、倒れにくい。このため、回収カセット２０は現金出納口１１から外れにくく、安定して装着される。
【００４９】
このように、移送中、回収カセット２０は、シャッタドア２３が閉じられたままであるため、移送する従業員は、内部の紙幣１００に触ることができない。そして、回収カセット２０は、図４に示すようにシャッタドア２３が閉じられたまま、倒立させられてＡＴＭ１０に装着される。
このため、紙幣１００を移送する者は、現金収納部２１内の紙幣１００に直接触れる機会が無い。したがって、責任者以外の者、たとえば従業員が回収カセット２０による紙幣１００の移送を行うことが可能となる。
【００５０】
次に、紙幣１００を移送する者は、ＡＴＭ１０のパネル等の操作により、入金操作を行なう。入金操作が行われると、現金出納口１１のカバー蓋体１３は、退避方向Ｄにスライド移動して、現金出納口１１を開放する。
カバー蓋体１３に一体に形成された係止鍵部１４は、図１０および図１１に示すように、カバー蓋体１３の移動に伴って退避方向Ｄに移動して、ロックレバー３６，３７の係合凹部３６ｂ，３７ｂと係合する。そして、係止鍵部１４は、回動軸部３６ａ，３７ａを回動中心として、それぞれのロックレバー３６，３７を矢印Ｅ方向（図１１参照）へ所望の角度分だけ、回動させる。
【００５１】
ロックレバー３６，３７は、予めそれぞれ設定されている角度分だけ、回動することにより、シャッタドア２３の後端部のスラット３１ａへのロック爪部３６ｃ，３７ｃの係止を解除する。これにより、シャッタドア２３は、スライド方向Ｂ（図９参照）への移動が許容される。
従業員は、スライド操作ノブ３３を上方向Ｆ（図１１）に向けて引き上げることにより、シャッタドア２３を、ガイドレール３２に沿って現金収納部２１内にスライド移動させて、現金出口部２２を開放することができる。
【００５２】
現金出口部２２の開放により、現金収納部２１内に収容されていた紙幣１００は、自重により、ＡＴＭ１０内に落下する。ＡＴＭ１０では、紙幣１００の投入が確認されると、カバー蓋体１３を閉じて、紙幣１００の計数が開始される。
また、図１１に示すようにカバー蓋体１３が開放されている状態では、係止鍵部１４がロックレバー３６，３７の係合凹部３６ｂ，３７ｂへ係合されたままである。このため、回収カセット２０をＡＴＭ１０の現金出納口１１から取り外すことができない。したがって、入金操作を行う者は、投入中の紙幣１００に触れることができない。
【００５３】
そして、ＡＴＭ１０は、紙幣１００の計測を開始するとカバー蓋体１３を図１０に示す位置に戻して閉じる。これによりカバー蓋体１３の係止鍵部１４は、ロックレバー３６，３７の係合凹部３６ｂ，３７ｂとの係合を解除するため、回収カセット２０をＡＴＭ１０の現金出納口１１から取り外すことが可能となる。
【００５４】
このように、ＡＴＭ１０のカバー蓋体１３が閉じられるまでは、入金操作を行う者は、回収カセット２０を現金出納口１１から外すことが出来ない。そして、カバー蓋体１３が閉じられ始めてから、ようやく回収カセット２０を現金出納口１１から外すことができる。このため、従業員は、ＡＴＭ１０内に投入された紙幣１００に触れることなく移送を完了することができる。
【００５５】
なお、この実施形態では、回収カセット２０が左，右のかぎ型を異ならせるロックレバー３６，３７を有している。ロックレバー３６，３７は、左，右で形状を異ならせることにより、それぞれ異なる角度に規定しないとロック爪部３６ｃ，３７ｃがスラット３１の端部から外れないように構成されている。
【００５６】
そして、これらのロックレバー３６，３７は、図６に示すように、回動軸部３６ａ，３７ａによって、回収カセット２０の左，右側にて、独立して回動自在となるように軸支されている。
このため、一方の鍵型を複写して外れる角度を特定できても、他方の鍵型を含めて左，右同時に複写するとともに、同時に再現することは困難である。よって、ロックレバー３６，３７の防盗性を向上させることができる。
【００５７】
さらに、ＡＴＭ１０のカバー蓋体１３に一体に形成される係止鍵部１４の形状についても含めて、各ロックレバー３６，３７の係合形状を異ならせることも可能であり、係止鍵部１４の数量を増大させることにより、さらに防盗性を向上させることができる。なお、この実施形態では、２本のロックレバー３６，３７を設けたものを示して説明してきたが、ロックレバー３６，３７のうち、いづれか１本にて構成されていてもよい。
【００５８】
しかも、既存のＡＴＭ１０の構成を大幅に変更する必要がなく、ＡＴＭ１０に係止鍵部１４を形成するカバー蓋体１３を交換したり、あるいは、このカバー蓋体１３を含めて周辺のフロントパネルをモジュール化して交換するだけで、回収カセット２０を用いた紙幣回収システムを構築することができる。したがって、紙幣回収システムの導入に際して、設備コストの増大を抑制することができる。
【００５９】
また、シャッタドア２３は、引出位置で現金出口部２２を覆い、収納状態で現金収納部２１の内側壁２７に沿って、スライド移動して格納される。このため、例えば、ＡＴＭ１０の方向に回動する開き扉のように、開閉の際ＡＴＭ１０の現金出納口１１の周縁に干渉して開閉が困難または不十分となるおそれがない。
この実施形態の回収カセット２０は、現金出納口１１に装着されて、現金出納口１１を覆う位置まで近接している状態であっても、上面部に突設されているスライド操作ノブ３３を用いてシャッタドア２３をスライド移動させることにより、干渉することなく円滑な開閉操作が可能である。
【００６０】
上述してきたように、回収カセット２０に設けられた連動ロック部３５によって、搬送中は、シャッタドア２３を閉じた状態で施錠して、開放を不能とする。そして、現金出口部２２が現金出納口１１へ装着されると、通常のＡＴＭ１０における入金操作に連動して解錠される。このため、シャッタドア２３は、開放可能な状態となる。
【００６１】
搬送した者は、現金収納部２１の外部から、操作可能なスライド操作ノブ３３を上方向Ｆに向けて引き上げる。紙幣１００は、ＡＴＭ１０の現金出納口１１の上方が回収カセット２０によって覆われた状態にて、ＡＴＭ１０内に投入される。
このように、紙幣１００を露出させることなく、搬送する際の防盗性を向上させつつ、取扱性を向上させることができる。
【００６２】
以上、本実施形態に係る回収カセット２０および回収カセット２０を用いた紙幣回収システムについて詳述してきたが、本発明はこれらの実施形態に限定されるものではなく、本発明の趣旨を逸脱しない範囲で適宜変更可能であることは言うまでもない。
【００６３】
例えば、本実施形態では、現金として紙幣を用いるものを例示して説明してきたが、特にこれに限らず、硬貨であってもよい。ＡＴＭ側の現金出納口の大きさおよび形状を異ならせておくことにより、硬貨の現金出納口と紙幣の現金出納口とを間違えて、装着しようとしても、実施形態の回収カセットでは、装着不能であるとともに、シャッタが開放されない。したがって、ユーザは、正しい現金出納口に回収カセットを装着し直すことができる。
【００６４】
さらに、本実施形態では、現金取扱機としてＰＯＳレジスタと通信可能な自動釣銭機２を用いて説明してきたが、特にこれに限らない。たとえば、収納された現金を現金出納口が形成された現金取引装置まで移送する回収カセットを備えているものであれば、どのような種類の現金取扱機であってもよい。このように現金取扱機の形状、数量及び設置場所が限定されるものではない。
【００６５】
また、本実施形態のシャッタドア２３は、可撓性を有する一枚のシート３０と、このシート３０に互いに平行に貼設された樹脂製の複数のスラット３１…とから構成されているが、たとえば、金属製のスラットやあるいは、帯状に形成されていて、各スラット間を連結するシートであってもよく、現金出口部２２を開閉可能とするものであればシート３０およびスラット３１の形状、数量および材質が特に限定されるものではない。
【符号の説明】
【００６６】
１      レジ
２      自動釣銭機（現金取扱機）
３      筺体
４      前面下部
５      カセット収納開口
１０    ＡＴＭ（現金取引装置）
１１    現金出納口
１２    現金入口部
１３    カバー蓋体
１４    係止鍵部（鍵部）
２０    回収カセット
２１    現金収納部
２１ａ  左右側壁
２２    現金出口部
２３    シャッタドア
２４    前扉部
２５    支持軸
２６    ドアシリンダ錠部
２６ａ  マスタ錠部
２７    内側壁
２７ａ  湾曲部
２８，２９  ローラ
３０    シート
３１，３１ａ  スラット
３２    ガイドレール
３３    スライド操作ノブ
３５    連動ロック部
３６    ロックレバー
３６ａ  回動軸部
３６ｂ  係合凹部
３６ｃ  ロック爪部
１００  紙幣
１２１  現金格納部
【図１】
0006601177.tif 000002
【図２】
0006601177.tif 000003
【図３】
0006601177.tif 000004
【図４】
0006601177.tif 000005
【図５】
0006601177.tif 000006
【図６】
0006601177.tif 000007
【図７】
0006601177.tif 000008
【図８】
0006601177.tif 000009
【図９】
0006601177.tif 000010
【図１０】
0006601177.tif 000011
【図１１】
0006601177.tif 000012